(57)【要約】【課題】上下回動自在な肘掛けを備えた椅子において、軽量且つ簡素な構造により、肘掛けの円滑な回動を可能にすると共に、肘掛けが垂直位置から自然に倒れてしまうことを防止する。【解決手段】椅子は、左右に延びる棒状の架設部材５３を有する肘掛け５０と、架設部材５３の移動を案内するスライド溝５６が形成された支持部材５５と、弾性変形可能な弾性片８０とを備える。弾性片８０は、肘掛け５０が垂直位置にあるときには、上端部８２ａによって架設部材５３を保持する。弾性片８０は、肘掛け５０が水平位置と垂直位置との間にあるときには、架設部材５３が中央部８２ｂによって付勢されつつ中央部８２ｂ上を摺動するように構成されている。【選択図】図９
2013017636.tif 000002
【特許請求の範囲】
【請求項１】
使用者が着座する座部と、前記座部を支持する脚部と、正面視において前記座部の側部よりも上方にて上向きに延びる棒状部と、左右方向に延びる軸部材を介して前記棒状部に上下回動自在に支持された肘掛けと、を備えた椅子であって、
前記肘掛けは、互いに左右方向に離間した左側板部および右側板部と、前記左側板部と前記右側板部とに架け渡された棒状の架設部材と、を有し、
前記棒状部に固定され、上端部と、段部を介して前記上端部の下方に位置する中央部と、前記中央部の下方に連続する下端部とを有し、前記上端部および前記下端部の少なくとも一方が前記棒状部に固定されずに片持ち支持された弾性変形可能な弾性片を備え、
前記弾性片は、前記肘掛けが略垂直の姿勢をとる垂直位置にあるときには、前記上端部によって前記架設部材を保持し、前記肘掛けが略水平の姿勢をとる水平位置と前記垂直位置との間にあるときには、前記架設部材が前記中央部によって付勢されつつ前記中央部上を摺動するように構成されている、椅子。
【請求項２】
前記弾性片は、前記棒状部の前方に配置され、
前記弾性片の前記中央部は、前方に突出するような湾曲形状に形成されている、請求項１に記載の椅子。
【請求項３】
前記弾性片の前記上端部は、後方斜め下向きに傾斜した傾斜面部からなっている、請求項２に記載の椅子。
【請求項４】
前記弾性片の片持ち支持された端部は、前記棒状部および前記支持部材から離間している、請求項１〜３のいずれか一つに記載の椅子。
【請求項５】
それぞれ前記架設部材と係合する略円弧状のスライド溝が形成された左側板および右側板を有し、前記棒状部に固定された支持部材を備え、
前記弾性片は、前記支持部材の左側板と右側板との間において前記棒状部に固定され、
前記弾性片の前記中央部は、前記肘掛けが前記水平位置と前記垂直位置との間にあるときに、前記左側板および前記右側板のスライド溝の縁部と前記中央部との間に前記架設部材を挟むように前記架設部材を付勢するように構成されている、請求項１〜４のいずれか一つに記載の椅子。
【請求項６】
前記棒状部と前記支持部材の左側板との間に配置された左側板と、前記棒状部と前記支持部材の右側板との間に配置された右側板とを有し、前記棒状部に固定された取付台を備え、
前記取付台の左側板および右側板の外面は、平らな面に形成されている、請求項５に記載の椅子。
【請求項７】
前記取付台は、前記棒状部から離間し且つ前記取付台の前記左側板と前記右側板とをつなぐ中央板を有し、
前記弾性片は、片持ち支持されていない端部から延びる平板部を有し、前記平板部が前記中央板と前記棒状部との間に挿入されることによって前記棒状部に固定されている、請求項６に記載の椅子。
【請求項８】
前記椅子は、浴室内で使用される浴室用椅子である、請求項１〜７のいずれか一つに記載の椅子。
【発明の詳細な説明】
【技術分野】
【０００１】
本発明は、上下に回動自在な肘掛けを有し、浴室等にて好適に利用可能な椅子に関する。
【背景技術】
【０００２】
高齢者等が浴室内で使用する椅子等として、上下に回動可能な肘掛けを有する椅子がよく用いられている。このような椅子によれば、肘掛けを上方へ回動させることによって（言い換えると、肘掛けを跳ね上げることによって）、座部の側方を開放することができる。そのため、高齢者等にとって、座部に座る動作等が容易となる。また、浴室等の狭いスペースで利用される椅子では、非使用時には折り畳むことによってコンパクトにできることが好ましい。上下回動自在な肘掛けを有する椅子によれば、折り畳んだ際に肘掛けを回動させることにより、肘掛けが出っ張らないようにすることができ、コンパクトにすることができる。
【０００３】
特許文献１には、そのような肘掛けを備えた椅子が開示されている。特許文献１に開示された椅子の肘掛けは、ヒンジピンを介して前脚および後脚に回動自在に支持されている。詳しくは、前脚は貫通孔が形成された固定板を備え、後脚は貫通孔が形成された後脚本体を備え、肘掛けは貫通孔が形成された肘掛け本体を備えている。肘掛け本体、固定板、および後脚本体は、それら貫通孔が左右に並ぶように並置される。それらの貫通孔には、ヒンジピンが挿通されている。これにより、肘掛け本体は、ヒンジピンを介して、前脚の固定板および後脚本体に回動自在に支持される。
【０００４】
後脚本体には、側方に突出するストッパピンが設けられている。肘掛け本体の内面側には、上記ストッパピンがスライド自在に係合する円弧状のガイド溝が形成されている。このガイド溝によってストッパピンの移動範囲が規制され、その結果、肘掛けの回動範囲が規制されている。すなわち、ストッパピンがガイド溝の一端に位置するときには、肘掛けが略水平な位置（以下、水平位置と称する）となり、ストッパピンがガイド溝の他端に位置するときには、肘掛けが略垂直な位置（以下、垂直位置と称する）となり、肘掛けの回動範囲は水平位置と垂直位置との間で規制される。
【０００５】
ガイド溝の一端側には、水平位置でストッパピンを保持する突起が設けられている。ストッパピンがこの突起を乗り越えてガイド溝の一端に移動すると、当該突起によりストッパピンの逆方向の移動が規制され、肘掛けは水平位置に保持される。ガイド溝の他端側には、垂直位置でストッパピンを保持する突起が設けられている。ストッパピンがこの突起を乗り越えてガイド溝の他端に移動すると、当該突起によりストッパピンの逆方向の移動が規制され、肘掛けは垂直位置に保持される。
【先行技術文献】
【特許文献】
【０００６】
【特許文献１】特開２００４−２６１３２８号公報
【発明の概要】
【発明が解決しようとする課題】
【０００７】
ところが、上記椅子では、肘掛け本体の装着位置にばらつきが生じたり、あるいは後脚本体の成形の精度が悪いと、ガイド溝とストッパピンとの相対位置にずれが生じやすい。その場合、ストッパピンが適正な位置で突起に保持されないことがある。その結果、例えば、肘掛けが垂直位置から自然に倒れてしまうおそれがあった。また、垂直位置と水平位置との間で肘掛けを円滑に回動させることができないおそれがあった。
【０００８】
ここで、肘掛けが自然に倒れてしまうことを防止するために、傾倒防止用の特殊な構造を付加することが考えられる。また、肘掛けの円滑な回動を確保するために、他の特殊な構造を付加することが考えられる。しかし、軽量且つ簡素な構造が望まれる椅子、例えば浴室用椅子等では、重たい構造物や複雑な構造物を付加することは好ましくない。
【０００９】
本発明はかかる点に鑑みてなされたものであり、その目的とするところは、上下回動自在な肘掛けを備えた椅子において、軽量且つ簡素な構造により、肘掛けの円滑な回動を可能にすると共に、肘掛けが垂直位置から自然に倒れてしまうことを防止することにある。
【課題を解決するための手段】
【００１０】
本発明に係る椅子は、使用者が着座する座部と、前記座部を支持する脚部と、正面視において前記座部の側部よりも上方にて上向きに延びる棒状部と、左右方向に延びる軸部材を介して前記棒状部に上下回動自在に支持された肘掛けと、を備えた椅子である。前記肘掛けは、互いに左右方向に離間した左側板部および右側板部と、前記左側板部と前記右側板部とに架け渡された棒状の架設部材と、を有する。前記椅子は更に、弾性片を備える。前記弾性片は、前記棒状部に固定され、上端部と、段部を介して前記上端部の下方に位置する中央部と、前記中央部の下方に連続する下端部とを有し、前記上端部および前記下端部の少なくとも一方が前記棒状部に固定されずに片持ち支持された弾性変形可能なものである。前記弾性片は、前記肘掛けが略垂直の姿勢をとる垂直位置にあるときには、前記上端部によって前記架設部材を保持し、前記肘掛けが略水平の姿勢をとる水平位置と前記垂直位置との間にあるときには、前記架設部材が前記中央部によって付勢されつつ前記中央部上を摺動するように構成されている。
【００１１】
上記椅子によれば、肘掛けを垂直位置にまで回動させると、架設部材が弾性片の段部を乗り上げ、弾性片の上端部によって保持される。そのため、架設部材の下方への移動は、上記段部によって規制される。したがって、肘掛けが自然に倒れてしまうことを防止することができる。肘掛けが垂直位置と水平位置との間を回動する際には、架設部材は、弾性片の中央部から付勢力を受けながら、中央部上を摺動する。この際、弾性片は弾性変形可能なので、肘掛けの回動は円滑に行われる。一方、架設部材は、弾性片の中央部からある程度の抵抗を受けるので、肘掛けを垂直位置から水平位置に移動させる際に、架設部材が急激に下方に移動することは防止される。したがって、肘掛けを垂直位置から水平位置に回動させる際に、肘掛けが急激に倒れてしまうことを抑制することができる。上記椅子によれば、軽量且つ簡素な構造により、肘掛けの円滑な回動を可能にすると共に、肘掛けが垂直位置から自然に倒れてしまうことを防止することができる。
【００１２】
前記弾性片は、前記棒状部の前方に配置され、前記弾性片の前記中央部は、前方に突出するような湾曲形状に形成されていてもよい。
【００１３】
このことにより、上述の作用効果を奏する弾性片を簡易に構成することができる。また、架設部材の移動をより円滑にすることができ、ひいては肘掛けの回動を更に円滑化することができる。
【００１４】
前記弾性片の前記上端部は、後方斜め下向きに傾斜した傾斜面部からなっていてもよい。
【００１５】
このことにより、肘掛けが垂直位置に移動したときに、架設部材を弾性片の上端部の上にしっかりと保持することができる。また、上端部は後方斜め下向きに傾斜しているので、架設部材が段部を乗り上げて中央部側に移動することは抑制される。したがって、肘掛けが垂直位置から自然に倒れてしまうことを、より一層抑制することができる。
【００１６】
前記弾性片の片持ち支持された端部は、前記棒状部および前記支持部材から離間していてもよい。
【００１７】
このことにより、弾性片が弾性変形しやすくなり、架設部材が弾性片の段部に乗り上げる動作および段部から乗り下がる動作を、より円滑化することができる。したがって、肘掛けを垂直位置から水平位置に回動させる際、または水平位置から垂直位置に回動させる際に、架設部材および支持部材に無理な応力がかかることを抑制することができる。よって、肘掛けの円滑な回動が可能となり、また、弾性片等の破損を防止することができる。
【００１８】
前記椅子は更に、それぞれ前記架設部材と係合する略円弧状のスライド溝が形成された左側板および右側板を有し、前記棒状部に固定された支持部材を備えていてもよい。前記弾性片は、前記支持部材の左側板と右側板との間において前記棒状部に固定される。前記弾性片の前記中央部は、前記肘掛けが前記水平位置と前記垂直位置との間にあるときに、前記左側板および前記右側板のスライド溝の縁部と前記中央部との間に前記架設部材を挟むように前記架設部材を付勢するように構成されていてもよい。
【００１９】
このことにより、肘掛けが垂直位置と水平位置との間を回動する際には、架設部材は、弾性片の中央部から付勢力を受け、支持部材の左側板および右側板のスライド溝の縁部と弾性片の中央部との間に挟まれながら、スライド溝内を移動する。架設部材の移動はスライド溝によって案内され、また、弾性片は弾性変形可能なので、肘掛けの回動は円滑に行われる。一方、架設部材はスライド溝の縁部と弾性片の中央部との間に挟まれるので、肘掛けを垂直位置から水平位置に移動させる際に、架設部材が急激に下方に移動することは防止される。したがって、肘掛けを垂直位置から水平位置に回動させる際に、肘掛けが急激に倒れてしまうことを抑制することができる。
【００２０】
前記椅子は、前記棒状部と前記支持部材の左側板との間に配置された左側板と、前記棒状部と前記支持部材の右側板との間に配置された右側板とを有し、前記棒状部に固定された取付台を備え、前記取付台の左側板および右側板の外面は、平らな面に形成されていてもよい。
【００２１】
このことにより、肘掛けに左右方向の荷重が加わっても、肘掛けは左右に傾きにくくなる。そのため、肘掛けを安定して回動させることができる。
【００２２】
前記取付台は、前記棒状部から離間し且つ前記取付台の前記左側板と前記右側板とをつなぐ中央板を有し、前記弾性片は、片持ち支持されていない端部から延びる平板部を有し、前記平板部が前記中央板と前記棒状部との間に挿入されることによって前記棒状部に固定されていてもよい。
【００２３】
このことにより、平板部を取付台の中央板と棒状部との間に挿入することにより、棒状部に対して弾性片を容易に取り付けることができる。したがって、前述の作用効果を奏する弾性片を簡易な構成によって設置することができる。
【００２４】
前記椅子は、浴室内で使用される浴室用椅子であってもよい。
【００２５】
浴室用椅子は、狭い浴室内で使用され、また、高齢者等が使用する場合が多いため、小型且つ軽量であることが求められる。上記椅子によれば、軽量且つ簡素な構造により、肘掛けの円滑な回動が可能であると共に、肘掛けが垂直位置から自然に倒れてしまうことを防止できるので、浴室用椅子として特に有用である。
【発明の効果】
【００２６】
本発明によれば、上下回動自在な肘掛けを備えた椅子において、軽量且つ簡素な構造により、肘掛けの円滑な回動を可能にすると共に、肘掛けが垂直位置から自然に倒れてしまうことを防止することができる。
【図面の簡単な説明】
【００２７】
【図１】実施形態に係る椅子の正面図である。
【図２】実施形態に係る椅子の左側面図である。
【図３】実施形態に係る椅子の肘掛けを跳ね上げた状態の左側面図である。
【図４】実施形態に係る椅子の折り畳んだ状態の左側面図である。
【図５】肘掛け構造の分解斜視図である。
【図６】棒状部および取付台の斜視図である。
【図７】棒状部、取付台、および弾性片の斜視図である。
【図８】図１のＶＩＩＩ−ＶＩＩＩ線断面図である。
【図９】肘掛けを垂直位置に移動させた状態の図８相当図である。
【図１０】図２のＸ−Ｘ線断面図である。
【図１１】変形例に係る弾性片の側面図である。
【図１２】他の変形例に係る弾性片の側面図である。
【図１３】他の変形例に係る弾性片の側面図である。
【図１４】他の変形例に係る弾性片の側面図である。
【発明を実施するための形態】
【００２８】
以下、図面を参照しながら、本発明の実施の形態について説明する。図１は本実施形態に係る椅子１の正面図、図２は椅子１の左側面図である。本実施形態に係る椅子１は、主に高齢者や身体障害者等が浴室内でシャワーを浴びるとき等に利用される椅子であり、いわゆる浴室用椅子である。また、椅子１は、非使用時等には折り畳んでコンパクトにすることができる折り畳み式の椅子である（図４参照）。ただし、本発明に係る椅子は、浴室用椅子１に限定される訳ではなく、浴室以外の場所で使用される椅子であってもよいことは勿論である。また、本発明に係る椅子は、折り畳み式の椅子に限らず、折り畳むことのできない椅子であってもよい。
【００２９】
以下の説明では、前、後、左、右は、椅子１に着座した者から見た前、後、左、右を言うものとする。図１および図２に示すように、椅子１は、第１フレーム１０と、左右一対の第２フレーム２１と、座部３０と、背もたれ４０と、左右一対の肘掛け５０とを備えている。
【００３０】
第１フレーム１０は、左右一対の前脚部１１と、各前脚部１１の後端部から後方斜め上向きに延びる棒状部１２と、左右の棒状部１２の上端部同士を連結する連結部１３とから構成されている。図２に示すように、前脚部１１は、前後方向に延びる水平部１１ａと、水平部１１ａの前端部から前方斜め下向きに延びる内パイプ部１１ｂと、内パイプ部１１ｂが挿入された外パイプ部１１ｃとを有している。外パイプ部１１ｃの下端部には、滑りを防止するためのゴム脚５が嵌め込まれている。なお、第１フレーム１０は、必ずしも水平部１１ａを備えていなくてもよい。内パイプ部１１ｂと棒状部１２とが連続していてもよい。本実施形態では、左右の内パイプ部１１ｂ、左右の水平部１１ａ、左右の棒状部１２、および連結部１３は、一体的に形成されている。しかし、それらの一または二以上のものが別体に形成され、溶接等により接合されていてもよい。第１フレーム１０の材料は特に限定される訳ではなく、例えば、アルミニウムやステンレス等の金属、または合成樹脂等を好適に用いることができる。ここでは、第１フレーム１０は金属製である。
【００３１】
第２フレーム２１は、後脚部を構成している。第２フレーム２１は、前後方向に延びる水平部２１ａと、水平部２１ａの後端部から後方斜め下向きに延びる内パイプ部２１ｂと、内パイプ部２１ｂが挿入された外パイプ部２１ｃとを有している。ただし、第２フレーム２１は必ずしも水平部２１ａを備えている必要はなく、水平部２１ａは適宜省略することが可能である。第２フレーム２１の材料も特に限定される訳ではなく、例えば、アルミニウムやステンレス等の金属、または合成樹脂等を好適に用いることができる。本実施形態では、第２フレーム２１は第１フレーム１０と同様、金属製である。外パイプ部２１ｃの下端部には、滑りを防止するためのゴム脚５が嵌め込まれている。
【００３２】
第１フレーム１０の水平部１１ａと第２フレーム２１の水平部２１ａとは、水平軸６１を介して連結されている。第２フレーム２１は第１フレーム１０に対し、水平軸６１周りに回動可能に取り付けられている。図４に示すように、第１フレーム１０と第２フレーム２１とを水平軸６１周りに回動させることにより、椅子１を折り畳むことができる。
【００３３】
前脚部１１は、外パイプ部１１ｃに対する内パイプ部１１ｂの挿入量を調整することにより、長さの調整が可能となっている。後脚部としての第２フレーム２１も、外パイプ部２１ｃに対する内パイプ部２１ｂの挿入量を調整することにより、長さの調整が可能となっている。内パイプ部１１ｂおよび外パイプ部１１ｃと、内パイプ部２１ｂおよび外パイプ部２１ｃとは、ほぼ同一の構成を有している。そこで以下では、内パイプ部２１ｂおよび外パイプ部２１ｃの構成を説明し、内パイプ部１１ｂおよび外パイプ部１１ｃの構成の説明は省略する。
【００３４】
図１に示すように、外パイプ部２１ｃには、上下に並ぶ複数の孔２６が形成されている。内パイプ部２１ｂには、孔２６と同程度の大きさの突起２５が形成されている。突起２５は図示しないばね等によって内パイプ部２１ｂの側方に向かって付勢されているが、側方から押し付けることにより、内パイプ部２１ｂ内に埋没させることができる。外パイプ部２１ｃに対する内パイプ部２１ｂの挿入量を調整し、突起２５と所望の孔２６との位置を合わせた後、押し付けていた突起２５を放すと、突起２５は上記孔２６に嵌り込む。これにより、内パイプ部２１ｂを外パイプ部２１ｃに固定することができる。このように、突起２５と係合させる孔２６を適宜選択することにより、後脚部としての第２フレーム２１の長さを段階的に調整することができる。説明は省略するが、前脚部１１についても同様である。前脚部１１および後脚部（すなわち、第２フレーム２１）の長さを変更することにより、使用者の体格に合わせて、座部３０および肘掛け５０の床面からの高さを調整することができる。
【００３５】
図４に示すように、座部３０は、回転軸６２を介して、第２フレーム２１の水平部２１ａの先端部分に取り付けられている。座部３０は第２フレーム２１に対して回動可能である。第１フレーム１０の左右の水平部１１ａには、左右に延びるバー７１およびバー７３が架け渡されている。左右の第２フレーム２１の水平部２１ａには、左右に延びるバー７２が架け渡されている。座部３０は、椅子１が折り畳まれた非使用時（図４参照）にはそれらのバー７１，７２，７３から離反するが、使用時（図２参照）にはそれらのバー７１，７２，７３に支持される。座部３０は、それらのバー７１，７２，７３を介して、第１フレーム１０の水平部１１ａおよび第２フレーム２１の水平部２１ａに支持される。
【００３６】
図１に示すように、第１フレーム１０の左右の棒状部１２の上端部同士は、連結部１３を介して接続されている。連結部１３は、左右に延びるパイプ状に形成されている。背もたれ４０は連結部１３の前部に取り付けられている。ただし、連結部１３は必ずしも必要ではなく、背もたれ４０は適宜省略することができる。
【００３７】
図１に示すように、棒状部１２は、正面視において、座部３０の側部よりも上方にて上向きに延びている。本実施形態では、棒状部１２は後方斜め上向きに延びており、鉛直方向から傾いているが、棒状部１２は鉛直方向に延びていてもよい。また、棒状部１２は、前方斜め上向きに延びていてもよい。棒状部１２は真っ直ぐに延びていてもよく、曲がっていてもよい。本実施形態では、棒状部１２は中空状に形成されている。言い換えると、棒状部１２はパイプによって形成されている。ただし、棒状部１２は中実状であってもよい。棒状部１２の断面形状は円形状に限らず、四角形状、六角形状等の他の形状であってもよい。
【００３８】
肘掛け５０は、棒状部１２に上下回動可能に取り付けられている。すなわち、肘掛け５０は回動式のものである。使用者が椅子１に座るときには、例えば図３に示すように、肘掛け５０を上向きに回動させて跳ね上げることにより、座部３０の側方を開放することができる。すなわち、肘掛け５０を垂直位置に移動させることにより、座部３０の側方を開放することができる。これにより、使用者は側方から座部３０に容易に着座することができる。使用者が座部３０に着座した後は、肘掛け５０を逆方向に回動させることによって、図２に示すように、肘掛け５０を略水平な位置に戻すことができる。このように、肘掛け５０を水平位置に移動させることにより、使用者は両手を肘掛け５０の上に置き、椅子１の上に安定して座ることができる。
【００３９】
前述したように、本実施形態に係る椅子１は折り畳み可能な椅子である。図４に示すように、椅子１を折り畳んだ際、肘掛け５０を跳ね上げることにより、肘掛け５０が出っ張らないようにすることができる。そのため、椅子１は、コンパクトに収納することができる。また、コンパクトにすることができるので、容易に持ち運ぶことが可能となる。
【００４０】
次に、肘掛け５０と、肘掛け５０を上下回動自在に支持する各部材とについて説明する。なお、以下では、肘掛け５０と肘掛け５０を上下回動自在に支持する各部材との全体を、便宜上、肘掛け構造と称することとする。
【００４１】
図５に示すように、肘掛け５０は、肘掛け本体５１と、肘掛け本体５１を支持する支持体５２とからなっている。肘掛け本体５１の根元部は左右に分岐し、互いに左右に離間する左側板５１Ｌと右側板５１Ｒとが形成されている。左側板５１Ｌおよび右側板５１Ｒには、左右方向に貫通する孔５１ａがそれぞれ形成されている。
【００４２】
支持体５２は、左側板５２Ｌと、右側板５２Ｒと、左側板５２Ｌおよび右側板５２Ｒの先端部をつなぐ天板５２Ｂとから構成されている。これら左側板５２Ｌと右側板５２Ｒと天板５２Ｂとは一体形成されている。ただし、左側板５２Ｌと右側板５２Ｒと天板５２Ｂとは、互いに別体に形成され、組み合わされていてもよい。左側板５２Ｌと右側板５２Ｒとは左右に離間している。左側板５２Ｌおよび右側板５２Ｒには、左右方向に貫通する孔５２ａがそれぞれ形成されている。左側板５２Ｌと右側板５２Ｒとには、棒状体からなる架設部材５３が架け渡されている。架設部材５３は、孔５２ａの前方斜め下の位置にて左右方向に延びている。左側板５２Ｌおよび右側板５２Ｒの架設部材５３よりも後方の位置には、段部５４が設けられている。
【００４３】
支持体５２は、肘掛け本体５１の内側に嵌め込まれ、肘掛け本体５１に固定される。支持体５２の天板５２Ｂは、肘掛け本体５１の下部に固定される。支持体５２の左側板５２Ｌは肘掛け本体５１の左側板５１Ｌの右方に配置され、支持体５２の右側板５２Ｒは肘掛け本体５１の右側板５１Ｒの左方に配置される。これら左側板５１Ｌおよび左側板５２Ｌによって、肘掛け５０の左側板部が形成され、右側板５１Ｒおよび右側板５２Ｒによって、肘掛け５０の右側板部が形成されている。
【００４４】
なお、肘掛け５０は、必ずしも肘掛け本体５１および支持体５２の２つの部材から構成されている必要はない。肘掛け５０は、３つ以上の部材を組み合わせることによって構成されていてもよい。また、肘掛け５０は、単一の部材によって構成されていてもよい。
【００４５】
詳細は後述するが、棒状部１２には取付台１８（図６参照）が固定され、この取付台１８の周囲には、樹脂製の支持部材５５が取り付けられている。支持部材５５は、肘掛け５０を支持する部材であり、取付台１８を介して棒状部１２に固定されている。支持部材５５は、左側板５５Ｌと、右側板５５Ｒ（図１０参照）と、これら左側板５５Ｌおよび右側板５５Ｒを連結する中央板５５Ｃとを有している。支持部材５５は、棒状部１２が左側板５５Ｌと右側板５５Ｒとの間に配置されるようにして、棒状部１２に取り付けられる。左側板５５Ｌおよび右側板５５Ｒには、左右方向に貫通する孔５５ａがそれぞれ形成されている。
【００４６】
また、左側板５５Ｌおよび右側板５５Ｒには、肘掛け５０の架設部材５３がスライド自在に係合するスライド溝５６がそれぞれ形成されている。架設部材５３がスライド溝５６内をスライドすることにより、肘掛け５０の回動が案内され、また、肘掛け５０の所定量以上の回動が規制される。
【００４７】
また、支持部材５５には、左側板５５Ｌおよび右側板５５Ｒを貫通するストッパ５７が設けられている。ストッパ５７は、左側板５５Ｌの左方および右側板５５Ｒの右方に突出している。跳ね上げられた状態から肘掛け５０を下方に回動させると、やがて支持体５２の段部５４がストッパ５７と当接し、肘掛け５０は水平位置に維持される。使用者が肘掛け５０に加えた荷重は、支持体５２の段部５４およびストッパ５７を介して棒状部１２に支持される。
【００４８】
次に、支持部材５５の内部の構成について説明する。図６に示すように、棒状部１２には、断面コ字状の取付台１８が設けられている。取付台１８は支持部材５５を安定して取り付けるための部材であり、ひいては肘掛け５０を安定して取り付けるためのものである。取付台１８は、棒状部１２に溶接されている。ただし、棒状部１２に対する取付台１８の固定態様は特に限定される訳ではない。取付台１８は、棒状部１２の左側に固定された左側板１８Ｌと、棒状部１２の右側に固定された右側板１８Ｒと、左側板１８Ｌと右側板１８Ｒとの前端部同士に架け渡された中央板１８Ｃとを備えている。左側板１８Ｌおよび右側板１８Ｒには、左右方向に貫通する孔１８ａがそれぞれ形成されている。
【００４９】
図７に示すように、棒状部１２の前方には、弾性片８０が配置されている。弾性片８０は、肘掛け８０の架設部材５３と係合することによって、肘掛け５０を垂直位置に保持する役割と、肘掛け５０が垂直位置から水平位置に移動する際に肘掛け５０が急激に倒れないようにする役割とを果たす。次に、弾性片８０の詳細な構成について説明する。
【００５０】
弾性片８０は、金属製の薄肉平板を適宜に屈曲および湾曲させることによって形成されている。弾性片８０は弾性変形可能であり、いわゆる板ばねとしての機能を有している。図８に示すように、弾性片８０は、棒状部１２と取付台１８（詳しくは、取付台１８の中央板１８Ｃ）との間の隙間に挿入された平板部８１と、平板部８１の前方に位置するばね部８２とを有している。本実施形態では、平板部８１の上下長さは取付台１８の中央板１８Ｃの上下長さよりも長く、平板部８１の下端部８１ｃは中央板１８Ｃの下端から下方に突出している。ただし、平板部８１の上下長さは特に限定されず、平板部８１の下端部８１ｃは中央板１８Ｃの下端から突出していなくてもよい。
【００５１】
ばね部８２は、平板部８１の上端から前方に延びる上端部８２ａと、前方に向かって凸状に湾曲した中央部８２ｂと、中央部８２ｂから下方に連続する下端部８２ｃとを有している。上端部８２ａは、後方斜め下向きに傾斜した傾斜面部となっている。中央部８２ｂと上端部８２ａとの境には、後方斜め上向きから後方斜め下向きに屈曲した段部８２ａｂが形成されている。ただし、上端部８２ａは傾斜面部でなくてもよく、例えば、水平面を有する水平面部等であってもよい。段部８２ａｂの形状も特に限定されず、後述するように、肘掛け５０が垂直位置に到達する際に架設部材５３が乗り上げられるような段部であれば足り、その具体的形状は特に限定される訳ではない。下端部８２ｃの形状も特に限定されないが、本実施形態では、下端部８２ｃは後方に向かって凸状に湾曲している。
【００５２】
上端部８２ａは平板部８１とつながっているため、棒状部１２に固定されている。一方、下端部８２ｃは棒状部１２に固定されておらず、片持ち支持されている。本実施形態では、下端部８２ｃは取付台１８の中央板１８Ｃから離間している。すなわち、下端部８２ｃは取付台１８の中央板１８Ｃとは接触しておらず、下端部８２ｃと中央板１８Ｃとの間には隙間が形成されている。ただし、下端部８２ｃの態様は特に限定されず、下端部８２ｃは中央板１８Ｃと接触していてもよい。
【００５３】
図８に示すように、ばね部８２の上端部８２ａの一部、段部８２ａｂ、中央部８２ｂ、および下端部８２ｃは、側面視において、スライド溝５６の内方に位置している。特に限定される訳ではないが、本実施形態では、ばね部８２とスライド溝５６の前側の縁部５６ｆとの間の距離は、上方にいくほど狭くなっている。下端部８２ｃとスライド溝５６の縁部５６ｆとの間には、架設部材５３の直径よりも大きな間隔が設けられている。一方、中央部８２ｂとスライド溝５６の縁部５６ｆとの間の間隔は、架設部材５３の直径よりも小さくなっている。ばね部８２の中央部８２ｂは、自らの弾性力によって、架設部材５３を前方に付勢する。そのため、架設部材５３は、中央部８２ｂの前方に位置する際には、中央部８２ｂとスライド溝５６の縁部５６ｆとの間に挟まれることになる。
【００５４】
図９は、肘掛け５０が垂直位置にあるときの架設部材５３と弾性片８０との位置関係を示している。図９に示すように、肘掛け５０を垂直位置まで回動させると、架設部材５３は、ばね部８２の中央部８２ｂから段部８２ａｂを越えて上端部８２ａに乗り上がる。その結果、架設部材５３は上端部８２ａに保持される。これにより、肘掛け５０に下向きの意図的な力を加えない限り、架設部材５３は中央部８２ｂ側に移動しないように規制される。
【００５５】
肘掛け５０は、ボルト６６を介して棒状部１２に上下回動自在に支持されている。ボルト６６は、本発明に係る軸部材の一例である。次に、ボルト６６等の締結態様について説明する。
【００５６】
図１０に示すように、棒状部１２には、左右方向に貫通する孔１２ａが形成されている。肘掛け本体５１の左側板５１Ｌの孔５１ａ、支持体５２の左側板５２Ｌの孔５２ａ、支持部材５５の左側板５５Ｌの孔５５ａ、取付台１８の左側板１８Ｌの孔１８ａ、棒状部１２の孔１２ａ、取付台１８の右側板１８Ｒの孔１８ａ、支持部材５５の右側板５５Ｒの孔５５ａ、支持体５２の右側板５２Ｒの孔５２ａ、および肘掛け本体５１の右側板５１Ｒの孔５１ａには、カラー部材６５が挿入されている。
【００５７】
カラー部材６５は、内周面および外周面が平滑な面からなる円筒部材によって形成されている。ただし、カラー部材６５の形状は特に限定される訳ではない。本実施形態では、カラー部材６５はステンレスからなっている。ただし、カラー部材６５の材料は特に限定されず、アルミニウム等の他の金属であってもよく、樹脂等の他の材料であってもよい。
【００５８】
カラー部材６５には、左方から右方に向かってボルト６６が挿入されている。なお、ボルト６６の挿入方向は特に限定されず、ボルト６６は右方から左方に向かって挿入されていてもよい。肘掛け本体５１の左側板５１Ｌの孔５１ａの周囲には、右方に凹んだ窪み５８Ｌが形成されている。ボルト６６の頭部６６ａは、窪み５８Ｌの内側に配置されている。ボルト６６の頭部６６ａと肘掛け本体５１の左側板５１Ｌとの間には、ワッシャ７６が介在している。ただし、ワッシャ７６は必ずしも必要ではなく、適宜省略することが可能である。
【００５９】
ボルト６６の先端部には、ナット６７が締め付けられている。肘掛け本体５１の右側板５１Ｒの孔５１ａの周囲には、左方に凹んだ窪み５８Ｒが形成されている。ナット６７は、窪み５８Ｒの内側に配置されている。ナット６７と肘掛け本体５１の右側板５１Ｒとの間には、ワッシャ７７が介在している。ただし、このワッシャ７７も必ずしも必要ではなく、適宜省略することが可能である。
【００６０】
ボルト６６およびナット６７の形状および寸法は、棒状部１２の孔１２ａやカラー部材６５等の形状および寸法に応じて適宜設定すればよく、特に限定されない。例えば、ボルト６６として、いわゆるＭ６サイズ（外径が６ｍｍ）のねじ等を好適に用いることができる。ナット６７として、例えばＵナット（登録商標）等を好適に用いることができる。
【００６１】
図１０は、ボルト６６とナット６７とを締め付ける前の状態を表している。ここで、カラー部材６５の長さをＬ１とする。肘掛け本体５１の左側板５１Ｌの孔５１ａの左端と、肘掛け本体５１の右側板５１Ｒの孔５１ａの右端との間の距離をＬ２とする。ボルト６６とナット６７とを締め付けると、肘掛け本体５１の左側板５１Ｌと右側板５１Ｒとは互いに接近するため、上記距離Ｌ２は短くなる。ところが、カラー部材６５の長さＬ１が長すぎると、ボルト６６の頭部６６ａおよびナット６７が、ワッシャ７６およびワッシャ７７を介してカラー部材６５の端面と当接してしまい、ボルト６６とナット６７との締結が妨げられるおそれがある。すなわち、カラー部材６５が邪魔になって、ボルト６６とナット６７とを十分に締め付けられないおそれがある。
【００６２】
そこで本実施形態では、カラー部材６５の長さＬ１は、ボルト６６とナット６７とを締め付ける前の上記距離Ｌ２、すなわち、肘掛け本体５１の左側板５１Ｌの孔５１ａの左端と右側板５１Ｒの孔５１ａの右端との間の距離Ｌ２よりも短く設定されている。これにより、ボルト６６とナット６７とを締め付ける際に、カラー部材６５が邪魔になることは防止される。なお、カラー部材６５の長さＬ１は、ボルト６６とナット６７とを締め付けた後の上記距離Ｌ２よりも短くてもよく、等しくてもよい。カラー部材６５の長さＬ１の具体的数値は特に限定される訳ではないが、例えば、ボルト６６とナット６７とを締め付ける前の上記距離Ｌ２よりも０．１ｍｍ〜２ｍｍ程度短いことが好ましい。本実施形態では、長さＬ１は距離Ｌ２よりも１ｍｍ短くなっている。これにより、ボルト６６とナット６７とを良好に締め付けることができると共に、締め付け後にカラー部材６５が左右にがたつくことを抑えることができる。
【００６３】
以上が肘掛け構造の構成である。次に、肘掛け５０が回動する際の架設部材５３および弾性片８０の挙動について説明する。
【００６４】
図８に示すように、肘掛け５０が水平位置にあるときには、架設部材５３は弾性片８０の下端部８２ｃと接触している。下端部８２ｃは中央部８２ｂとは逆向きに湾曲しているので、架設部材５３の上方への移動はある程度規制される。そのため、水平位置における肘掛け５０のがたつきは防止される。
【００６５】
一方、下端部８２ｃとスライド溝５６の前側の縁部５６ｆとの間には、架設部材５３の直径よりも大きな間隔が設けられている。そのため、使用者が肘掛け５０に対し、上向きの回動力を加えると、架設部材５３は下端部８２ｃから中央部８２ｂに容易に移動する。また、弾性片８０は弾性変形可能であるため、架設部材５３の上方への移動に伴って、中央部８２ｂは架設部材５３から後ろ向きの力を受け、弾性変形する。その結果、中央部８２ｂとスライド溝５６の縁部５６ｆとの間に十分な隙間が形成され、架設部材５３は円滑に移動する。したがって、使用者は肘掛け５０を上向きに容易に回動させることができる。
【００６６】
架設部材５３が更に上方に移動すると、やがて架設部材５３は中央部８２ｂから段部８２ａｂを経由し、上端部８２ａに乗り上げる。なお、中央部８２ｂは前方に凸状に湾曲しており、また、弾性片８０は弾性変形可能であるため、それほど大きな力を加えなくても、架設部材５３を上端部８２ａの上に移動させることができる。その結果、図９に示すように、架設部材５３は上端部８２ａに保持される。したがって、使用者は、肘掛け５０を容易に垂直位置に保持することができる。
【００６７】
中央部８２ｂと上端部８２ａとの間には段部８２ａｂが設けられているので、肘掛け５０の自重程度の力を受けただけでは、架設部材５３が段部８２ａｂを超えて中央部８２ｂ側に移動することはない。特に本実施形態では、中央部８２ｂとスライド溝５６の前側の縁部５６ｆとの間の間隔は、架設部材５３の直径よりも小さい。また、弾性片８０の上端部８２ａは、後方斜め下向きに傾斜している。そのため、肘掛け５０を下向きに回動させる意図的な力を加えない限り、肘掛け５０が自然に倒れてしまうことはない。したがって、肘掛け５０が垂直位置から自然に倒れてしまうことを確実に防止することができる。
【００６８】
一方、肘掛け５０を垂直位置から水平位置に戻すときには、肘掛け５０にある程度大きな力を加えることにより、架設部材５３を上端部８２ａから中央部８２ｂに移動させる。この際、架設部材５３は、中央部８２ｂにより前方に付勢される。架設部材５３は、中央部８２ｂから付勢力を受けつつ中央部８２ｂ上を摺動する。そのため、回動途中に架設部材５３が肘掛け５０の自重を受けて急激に下方に移動することは防止される。また、本実施形態では、架設部材５３は中央部８２ｂとスライド溝５６の縁部５６ｆとの間に挟まれる。このことによっても、回動途中に架設部材５３が肘掛け５０の自重を受けて急激に下方に移動することが防止される。したがって、回動途中で肘掛け５０が急に倒れてしまうことを防ぐことができる。下方に移動した架設部材５３は、やがて中央部８２ｂから下端部８２ｃに到達する。これにより、肘掛け５０は水平位置に位置付けられることになる。
【００６９】
また、本実施形態に係る椅子１では、前述のカラー部材６５によって、ボルト６６とナット６７との緩みが抑制される。次に、肘掛け５０が回動する際のボルト６６およびナット６７の挙動について説明する。図１０に示すように、ボルト６６の頭部６６ａは、ワッシャ７６を介して、肘掛け本体５１の左側板５１Ｌと接触している。ナット６７は、ワッシャ７７を介して、肘掛け本体５１の右側板５１Ｒと接触している。そのため、肘掛け５０を回動させると、ボルト６６およびナット６７は、肘掛け本体５１から摩擦力を受け、肘掛け５０と共に回動しようとする力を受ける。ここで、ボルト６６はカラー部材６５に対して回転可能である。そのため、ボルト６６は、肘掛け５０の回動に伴って、カラー部材６５の内側にて回動する。
【００７０】
ところで、棒状部１２、取付台１８、および支持部材５５は、肘掛け５０と異なり、静止したままである。しかし、ボルト６６の周囲にはカラー部材６５が配置されているため、棒状部１２の孔１２ａの内周面とボルト６６との接触、取付台１８の孔１８ａの内周面とボルト６６との接触、および支持部材５５の孔５５ａの内周面とボルト６６との接触は、それぞれ防止される。したがって、それらの孔１２ａ、孔１８ａ、および孔５５ａの内周面とボルト６６との間で摩擦が生じることはなく、ボルト６６が棒状部１２、取付台１８、および支持部材５５から、静止し続けようとする力を受けることはない。したがって、肘掛け５０に左右方向に荷重が加わった状態で肘掛け５０を回動させた場合であっても、ボルト６６とナット６７とが互いに逆方向の力を受けることはないため、ボルト６６とナット６７との緩みを抑制することができる。
【００７１】
以上のように、本実施形態に係る椅子１によれば、肘掛け５０を垂直位置に移動させると、架設部材５３が弾性片８０の段部８２ａｂを乗り越え、上端部８２ａによって保持される。したがって、肘掛け５０が自然に倒れてしまうことを防止することができる。また、肘掛け５０を垂直位置から水平位置に向かって回動させる際に、架設部材５３は弾性片８０の弾性力を受けつつ、弾性片８０上（詳しくは中央部８２ｂ上）を摺動する。また、架設部材５３は、弾性片８０の中央部８２ｂとスライド溝５６の縁部５６ｆとの間に挟まれながら、中央部８２ｂ上を摺動する。よって、架設部材５３が移動途中に急激に下方に移動することは防止される。したがって、肘掛け５０が回動中に急に倒れてしまうことを防止することができる。本実施形態に係る椅子１によれば、軽量且つ簡素な構造により、肘掛け５０の円滑な回動が可能であると共に、肘掛け５０が垂直位置から自然に倒れてしまうことを防止することができる。
【００７２】
本実施形態によれば、弾性片８０の中央部８２ｂは、前方に突出するような湾曲形状に形成されている。したがって、簡単な構成により、上述の作用効果を得ることができる。また、肘掛け５０の回動の際に、架設部材５３をより円滑に移動させることができる。
【００７３】
また、本実施形態では、弾性片８０の上端部８２ａは、後方斜め下向きに傾斜した傾斜面部からなっている。このことにより、架設部材５３を弾性片８０の上端部８２ａにしっかりと保持することができ、肘掛け５０が垂直位置から自然に倒れてしまうことをより一層抑制することができる。
【００７４】
また、本実施形態では、弾性片８０の下端部８２ｃが片持ち支持され、その下端部８２ｃは棒状部１２および取付台１８から前方に離間している。このような構成により、弾性片８０は好適に弾性変形しやすくなり、架設部材５３が弾性片８０の段部８２ａｂを乗り上げる動作および段部から乗り下がる動作を、より円滑化することができる。したがって、肘掛け５０を垂直位置から水平位置に回動させる際、または水平位置から垂直位置に回動させる際に、架設部材５３および弾性片８０に無理な応力がかかることを抑制することができる。そのため、肘掛け５０をより一層円滑に回動させることが可能となる。また、弾性片８０等の破損を防止することができる。
【００７５】
また、本実施形態では、取付台１８の左側板１８Ｌおよび右側板１８Ｒの外面は、平らな面に形成されている。このことにより、肘掛け５０に左右方向の荷重が加わっても、取付台１８によって支持部材５５を安定して支持することができ、ひいては、取付台１８によって肘掛け５０を安定して支持することができる。本実施形態によれば、取付台１８によって、肘掛け５０が左右に傾くことを十分に抑制することができる。したがって、肘掛け５０を安定して回動させることができる。
【００７６】
また、本実施形態では、弾性片８０は、平板部８１が棒状部１２と取付台１８の中央板１８Ｃとの間に挿入されることによって、棒状部１２に固定されている。本実施形態によれば、弾性片８０を容易に取り付けることができる。
【００７７】
上述の通り、本実施形態によれば、弾性片８０という軽量且つ簡素な構造物によって、上述の作用効果を得ることができる。浴室用の椅子１は、狭い浴室内で使用され、また、高齢者等が使用する場合が多いため、小型且つ軽量であることが求められる。したがって、本実施形態に係る椅子１は、浴室用椅子として特に有用である。
【００７８】
また、本実施形態に係る椅子１によれば、肘掛け５０に左右方向の荷重が加わった状態で肘掛け５０を回動させた場合であっても、ボルト６６とナット６７とに逆方向の回転力が加わることはないため、ボルト６６とナット６７との緩みを抑えることができる。したがって、肘掛け５０のがたつきを未然に防止することができる。本実施形態に係る椅子１によれば、棒状部１２の孔１２ａの内周面等とボルト６６との間にカラー部材６５を介在させることにより、上記効果を得ることができる。すなわち、カラー部材６５という軽量且つ簡素な構造を付加することにより、ボルト６６とナット６７との緩みを抑制することが可能となる。
【００７９】
本実施形態によれば、金属材料からなる支持体５２の左側板５２Ｌと取付台１８の左側板１８Ｌとの間に、樹脂製の支持部材５５の左側板５５Ｌが介在している。同様に、金属材料からなる支持体５２の右側板５２Ｒと取付台１８の右側板１８Ｒとの間に、樹脂製の支持部材５５の右側板５５Ｒが介在している。そのため、左側板５２Ｌと左側板１８Ｌとの間の磨耗、ならびに、右側板５２Ｒと右側板１８Ｒとの間の磨耗を防止することができる。したがって、それらの磨耗に起因するボルト６６およびナット６７のがたつきを抑制することができる。
【００８０】
上述の通り、本実施形態によれば、カラー部材６５という軽量且つ簡素な構造物を追加するだけで、ボルト６６とナット６７との緩みを抑制することができる。本実施形態に係る椅子１は、軽量化等が強く求められる浴室用椅子として特に有用である。
【００８１】
また、本実施形態に係る椅子１は、折り畳み式の椅子である。折り畳み式の椅子は、折り畳むことによってコンパクトに収容することができ、また、運搬が容易であるという特長を有する。肘掛け５０を備える折り畳み式の椅子１では、上記特長を損なわないように、折り畳んだ際に肘掛け５０が出っ張らず、また、運搬が容易なように、折り畳みに伴って肘掛け５０を回動させることが多い。本実施形態に係る椅子１によれば、肘掛け５０を円滑に回動させることができる一方、肘掛け５０が自然に倒れてしまうことを防止することができる。また、肘掛け５０を頻繁に回動させても、ボルト６６およびナット６７の緩みは生じにくい。したがって、本実施形態に係る椅子１によれば、折り畳み式の椅子として特に有用である。
【００８２】
なお、本発明に係る椅子は、前記実施形態の椅子１に限らず、他に種々の形態で実施することができる。次に、椅子１の変形例について簡単に説明する。
【００８３】
前記実施形態では、弾性片８０の下端部８２ｃが片持ち支持されていたが、図１１に示すように、弾性片８０の上端部８２ａが片持ち支持されていてもよい。また、上端部８２ａは、後方に向かって凸状に湾曲していてもよい。
【００８４】
図１２に示すように、弾性片８０の上端部８２ａおよび下端部８２ｃの両方が片持ち支持されていてもよい。図１２に示す変形例では、中央部８２ｂは、それぞれ前方に突出する湾曲部８２ｂ１および湾曲部８２ｂ３と、それら湾曲部８２ｂ１と湾曲部８２ｂ３との間に位置する鉛直部８２ｂ２とを有している。段部８２ａｂは上側にのみ設けられていてもよいが、弾性片８０は複数の段部を備えていてもよい。
【００８５】
図１３に示すように、弾性片８０の上端部８２ａは後方斜め上向きに傾斜していてもよい。中央部８２ｂは、鉛直方向に延びる鉛直部８２ｂ１と、鉛直部８２ｂ１の下端から後方斜め下向きに延びる傾斜部８２ｂ２とから構成されていてもよい。このように、中央部８２ｂは非湾曲形状であってもよい。
【００８６】
前記実施形態では、弾性片８０の下端部８２ｃは、取付台１８の中央板１８Ｃから前方に離間していた（図８参照）。しかし、図１４に示すように、下端部８２ｃは平板部８１と同程度まで後方に延び、取付台１８の中央板１８Ｃと接触するようになっていてもよい。
【００８７】
前記実施形態では、架設部材５３は円柱状に形成されていたが、架設部材５３の形状は特に限定される訳ではない。例えば、架設部材５３の断面形状は、四角または六角等の多角形状であってもよく、楕円等の他の形状であってもよい。また、架設部材５３は、中実の棒状であってもよく、中空の棒状であってもよい。
【００８８】
前記実施形態では、棒状部１２の孔１２ａの内周面等とボルト６６との間にカラー部材６５を介在させていた。しかし、本発明において、カラー部材６５は必ずしも必要ではない。カラー部材６５を省略することも可能である。
【００８９】
前記実施形態に係る椅子１は、支持部材５５を備えていたが、支持部材５５は必ずしも必要ではなく、省略することも可能である。
【００９０】
前記実施形態では、棒状部１２は前脚部１１と連続していたが、棒状部１２は後脚部（すなわち、第２フレーム２１）と連続していてもよい。また、棒状部１２は、前脚部１１および後脚部から独立していてもよい。
【００９１】
前記実施形態では、脚部は２本の前脚部１１と２本の後脚部とから構成されていた。しかし、脚部の本数は特に限定される訳ではない。また、脚部の構成は何ら限定される訳ではない。脚部は、長さ調整可能な脚部に限定されず、長さ調整ができない脚部であってもよい。
【００９２】
前述の通り、本発明に係る椅子は、浴室用椅子および折り畳み式の椅子として特に有用であるが、必ずしも浴室用椅子または折り畳み式の椅子に限定される訳ではない。
【符号の説明】
【００９３】
１        椅子
１２      棒状部
３０      座部
５０      肘掛け
５３      架設部材
５５      支持部材
５５Ｌ    支持部材の左側板
５５Ｒ    支持部材の右側板
５６      スライド溝
５６ｆ    スライド溝の縁部
６６      ボルト（軸部材）
８０      弾性片
８２ａ    上端部
８２ｂ    中央部
８２ｃ    下端部
８２ａｂ  段部
【図１】
2013017636.tif 000003
【図２】
2013017636.tif 000004
【図３】
2013017636.tif 000005
【図４】
2013017636.tif 000006
【図５】
2013017636.tif 000007
【図６】
2013017636.tif 000008
【図７】
2013017636.tif 000009
【図８】
2013017636.tif 000010
【図９】
2013017636.tif 000011
【図１０】
2013017636.tif 000012
【図１１】
2013017636.tif 000013
【図１２】
2013017636.tif 000014
【図１３】
2013017636.tif 000015
【図１４】
2013017636.tif 000016